(57)【要約】【課題】修正する必要がある予防保全作業を把握しやすくすることによって、管理者による最適な予防保全計画の生成の支援し、管理者の予防保全計画を提案するための手間を低減させる管理システムを提供することを目的とする。【解決手段】予防保全作業の実施条件を管理する管理システムにおいて、機器で発生した不具合を登録する不具合情報と、機器と当該機器が属するグループとを関連付ける機器マスタ情報と、グループ毎に予防保全作業の実施条件が登録された予防保全テンプレート情報と、を保持し、少なくとも一つのグループの入力を受け付けた場合、機器マスタ情報を参照し、入力されたグループに属する機器を特定し、不具合情報を参照し、特定した機器で発生した不具合数を算出し、算出した不具合数をグループ毎に提示することを特徴とする。【選択図】図１
2014154124.tif 000002
【特許請求の範囲】
【請求項１】
機器に対して実施される予防保全作業の実施条件を管理する管理システムにおいて、
前記機器で発生した不具合を登録する不具合情報と、
前記機器と当該機器が属するグループとを関連付ける機器マスタ情報と、
前記グループ毎に前記予防保全作業の実施条件が登録された予防保全テンプレート情報と、を保持し、
少なくとも一つのグループの入力を受け付けた場合、前記機器マスタ情報を参照し、前記入力されたグループに属する機器を特定し、
前記不具合情報を参照し、前記特定した機器で発生した不具合数を算出し、
前記算出した不具合数をグループ毎に提示することを特徴とする管理システム。
【請求項２】
請求項１に記載の管理システムであって、
前記機器マスタ情報には、さらに、前記機器の属性を識別可能な属性情報が登録され、
前記不具合数を算出する場合には、前記不具合情報を参照し、前記属性情報によって識別される属性が同じ機器で発生した不具合の数を合計することによって、前記属性と対応付けられた前記不具合数を算出し、
前記属性と当該属性に対応付けられた前記不具合数とを提示することを特徴とする管理システム。
【請求項３】
請求項２に記載の管理システムであって、
前記属性情報は、前記機器の第１属性を識別可能な第１属性情報、及び前記機器の第２属性を識別可能な第２属性情報を含み、
前記不具合数を算出する場合には、
前記不具合情報を参照し、前記第１属性情報によって識別される第１属性が同じ機器で発生した不具合の数を合計することによって、前記第１属性と対応付けられた第１不具合数を算出し、
前記不具合情報を参照し、前記第２属性情報によって識別される第２属性が同じ機器で発生した不具合の数を合計することによって、前記第２属性と対応付けられた第２不具合数を算出し、
前記不具合情報を参照し、前記第１属性が同じであって、かつ前記第２属性が同じである機器で発生した不具合の数を合計することによって、前記第１属性及び前記第２属性の組合せと対応付けられた第３不具合数を算出し、
前記不具合数を提示する場合には、
前記第１属性と当該第１属性に対応付けられた第１不具合数とを提示し、
前記第２属性と当該第２属性に対応付けられた第２不具合数とを提示し、
前記第１属性及び前記第２属性の組合せと当該組合せに対応付けられた第３不具合数とを提示することを特徴とする管理システム。
【請求項４】
請求項２に記載の管理システムであって、
前記機器マスタ情報には、複数の前記属性情報が登録され、
前記不具合数を算出する属性情報が登録された分析属性情報を保持し、
前記不具合数を算出する場合には、前記分析属性情報に登録された属性情報によって識別される属性が同じ機器で発生した不具合の数を合計することによって、前記不具合数を算出することを特徴とする管理システム。
【請求項５】
請求項２に記載の管理システムであって、
前記グループを変更する属性及び当該属性の機器が新たに属することとなるグループの入力を受け付けた場合、前記入力された属性の機器を前記入力されたグループに属するように前記機器マスタ情報を更新し、
前記予防保全テンプレートに登録された情報を提示し、
前記予防保全テンプレートに登録された情報の修正内容の入力を受け付けた場合、前記入力された修正内容に基づいて、前記予防保全テンプレートを更新することを特徴とする管理システム。
【請求項６】
機器に対して実施される予防保全作業の実施条件を管理する管理システムにおける前記予防保全作業の実施条件の管理方法において、
前記管理システムは、
前記機器で発生した不具合を登録する不具合情報と、
前記機器と当該機器が属するグループとを関連付ける機器マスタ情報と、
前記グループ毎に前記予防保全作業の実施条件が登録された予防保全テンプレート情報と、を保持し、
前記方法は、
前記管理システムが、少なくとも一つのグループの入力を受け付けた場合、前記機器マスタ情報を参照し、前記入力されたグループに属する機器を特定し、
前記管理システムが、前記不具合情報を参照し、前記特定した機器で発生した不具合数を算出し、
前記管理システムが、前記算出した不具合数をグループ毎に提示することを特徴とする管理方法。
【請求項７】
請求項６に記載の管理方法であって、
前記機器マスタ情報には、さらに、前記機器の属性を識別可能な属性情報が登録され、
前記不具合数を算出する場合には、前記管理システムが、前記不具合情報を参照し、前記属性情報によって識別される属性が同じ機器で発生した不具合の数を合計することによって、前記属性と対応付けられた前記不具合数を算出し、
前記算出した不具合数を提示する場合には、前記管理システムが、前記属性と当該属性に対応付けられた前記不具合数とを提示することを特徴とする管理方法。
【請求項８】
請求項７に記載の管理方法であって、
前記属性情報は、前記機器の第１属性を識別可能な第１属性情報、及び前記機器の第２属性を識別可能な第２属性情報を含み、
前記不具合数を算出する場合には、
前記管理システムが、前記不具合情報を参照し、前記第１属性情報によって識別される第１属性が同じ機器で発生した不具合の数を合計することによって、前記第１属性と対応付けられた第１不具合数を算出し、
前記管理システムが、前記不具合情報を参照し、前記第２属性情報によって識別される第２属性が同じ機器で発生した不具合の数を合計することによって、前記第２属性と対応付けられた第２不具合数を算出し、
前記管理システムが、前記不具合情報を参照し、前記第１属性が同じであって、かつ前記第２属性が同じである機器で発生した不具合の数を合計することによって、前記第１属性及び前記第２属性の組合せと対応付けられた第３不具合数を算出し、
前記不具合数を提示する場合には、
前記管理システムが、前記第１属性と当該第１属性に対応付けられた第１不具合数とを提示し、
前記管理システムが、前記第２属性と当該第２属性に対応付けられた第２不具合数とを提示し、
前記管理システムが、前記第１属性及び前記第２属性の組合せと当該組合せに対応付けられた第３不具合数とを提示することを特徴とする管理方法。
【請求項９】
請求項７に記載の管理方法であって、
前記機器マスタ情報には、複数の前記属性情報が登録され、
前記不具合数を算出する属性情報が登録された分析属性情報を保持し、
前記不具合数を算出する場合には、前記管理システムが、前記分析属性情報に登録された属性情報によって識別される属性が同じ機器で発生した不具合の数を合計することによって、前記不具合数を算出することを特徴とする管理方法。
【請求項１０】
請求項７に記載の管理方法であって、
前記管理システムが、前記グループを変更する属性及び当該属性の機器が新たに属することとなるグループの入力を受け付けた場合、前記入力された属性の機器を前記入力されたグループに属するように前記機器マスタ情報を更新し、
前記管理システムが、前記予防保全テンプレートに登録された情報を提示し、
前記管理システムが、前記予防保全テンプレートに登録された情報の修正内容の入力を受け付けた場合、前記入力された修正内容に基づいて、前記予防保全テンプレートを更新することを特徴とする管理方法。
【発明の詳細な説明】
【技術分野】
【０００１】
本発明は、機器に対して実施される予防保全作業の実施条件の修正を支援する管理システムに関する。
【背景技術】
【０００２】
発電プラント又は工場等に配置された機器に対して予防保全作業が実施される。予防保全作業とは、機器に故障が発生する前に故障が発生しそうな箇所に対策を講じ、故障が発生しないようにする作業をいう。
【０００３】
管理者等が各機器に対して予防保全作業を実施する計画（予防保全計画）を立てて、当該計画に従って予防保全作業が実施される。この予防保全計画に関する技術として、特開２００９−２１１１６４号公報（特許文献１）及び特開２０１０−１７６６１８号公報（特許文献２）に記載された技術がある。
【０００４】
特許文献１の公報には、「プラントの各系統における各種の保全計画情報を保存する保全計画情報データベース１１と、プラントの各系統におけるＣＡＤ図面情報を保存する系統図ＣＡＤデータベース１２と、ＣＡＤ図面情報及び保全計画情報を表示する表示手段１３と、評価対象の系統における保全計画情報を、当該系統におけるＣＡＤ図面情報に融合して表示手段に可視化して表示可能とし、この表示画面上で保全計画情報を編集可能とし、編集結果を保全計画情報データベースに保存可能とする情報処理手段１４と、当該情報処理手段に、前述の表示、編集、保存をそれぞれ実行させるための指令を入力する入力手段１５と、を有するものである。」と記載されている（要約参照）。
【０００５】
また、特許文献２の公報には、「(a)プラント保全の対処方法を定めた保全計画を策定し策定した保全計画をコンピュータに保存し、(b)保存された保全計画に従ってプラント保全を実施し、プラント機器の不具合を検知したときは、プラント機器の不具合を示す保全実施結果を作成し、この保全実施結果をコンピュータに保存し、(c)保存された保全実施結果を参照し、前記保全実施結果に示されるプラント機器の不具合が、策定した保全計画の不備を原因とするものか否かを分析し、保全実施結果に示されるプラント機器の不具合が保全計画の不備を原因とするものと判定したときは、保全計画改善検討パターンを決定する処理をコンピュータに実行させ、(d)決定した保全計画改善検討パターンを提示する処理をコンピュータに実行させる。」と記載されている（要約参照）。
【先行技術文献】
【特許文献】
【０００６】
【特許文献１】特開２００９−２１１１６４号公報
【特許文献２】特開２０１０−１７６６１８号公報
【発明の概要】
【発明が解決しようとする課題】
【０００７】
特許文献１には、保全計画情報とＣＡＤ図面情報とを融合して可視化することが記載されている。しかしながら、どの機器で故障が多発しているか等の情報を管理者に提示することはなく、管理者は、修正する必要がある保全作業を把握できず、予防保全計画の修正を支援するものではない。
【０００８】
また、特許文献２には、機器の不具合を検知した場合に、当該不具合が保全計画の不備を原因とするものである場合、保全計画改善検討パターンを提示することが記載されている。しかしながら、不具合を検知しなければ保全計画改善検討パターンが提示されることはなく、また、管理者は、修正する必要がある保全作業を把握できない。
【０００９】
上記問題点を鑑みて、本発明は、修正する必要がある予防保全作業を把握しやすくすることによって、管理者による最適な予防保全計画の生成の支援し、管理者の予防保全計画を提案するための手間を低減させる管理システムを提供することを目的とする。
【課題を解決するための手段】
【００１０】
上記課題を解決するために、本発明は、機器に対して実施される予防保全作業の実施条件を管理する管理システムにおいて、前記機器で発生した不具合を登録する不具合情報と、前記機器と当該機器が属するグループとを関連付ける機器マスタ情報と、前記グループ毎に予防保全作業の実施条件が登録された予防保全テンプレート情報と、を記憶し、少なくとも一つのグループの入力を受け付けた場合、前記機器マスタ情報を参照し、前記入力されたグループに属する機器を特定し、前記不具合情報を参照し、前記特定した機器で発生した不具合数を算出し、前記算出した不具合数をグループ毎に提示することを特徴とする。
【発明の効果】
【００１１】
本発明の一実施例、修正する必要がある予防保全作業を把握しやすくすることによって、管理者による最適な予防保全計画の生成の支援し、管理者の予防保全計画を提案するための手間を低減させる管理システムを提供することができる。
【００１２】
上記した以外、構成及び効果は、以下の実施形態の説明により明らかにされる。
【図面の簡単な説明】
【００１３】
【図１】本発明の実施例の管理システムの構成の説明図である。
【図２】本発明の実施例の不具合情報履歴の説明図である。
【図３】本発明の実施例の機器マスタ情報の説明図である。
【図４】本発明の実施例の分析属性情報の説明図である。
【図５】本発明の実施例の予防保全テンプレートの説明図である。
【図６】本発明の実施例の作業計画情報の説明図である。
【図７】本発明の実施例の不具合情報取得処理のシーケンス図である。
【図８】本発明の実施例の不具合表示画面の説明図である。
【図９】本発明の実施例の属性情報選択領域で「メーカ」が選択された場合の不具合表示画面の説明図である。
【図１０】本発明の実施例の属性情報選択領域で「メーカ」及び「製造日付」が選択された場合の不具合表示画面の説明図である。
【図１１】本発明の実施例の予防保全テンプレート登録処理のシーケンス図である。
【図１２】本発明の実施例の作業計画情報作成処理のシーケンス図である。
【図１３】本発明の実施例のグループ変更処理のシーケンス図である。
【発明を実施するための形態】
【００１４】
以下、実施例を図面を用いて説明する。
【００１５】
図１は、本発明の実施例の管理システムの構成の説明図である。
【００１６】
管理システムは、オンライン端末１０、ＡＰ（アプリケーション）サーバ２０、及びＤＢ（データベース）サーバ３０を有する。これらは、ネットワーク１５を介して相互に接続される。
【００１７】
オンライン端末１０は、管理者が操作する端末であり、送受信部１１、表示部１２、及び入力部１３を有する。
【００１８】
送受信部１１は、ネットワーク１５に接続されるインタフェースであり、ＡＰサーバ２０及びＤＢサーバ３０と情報を送受信する。表示部１２は、例えばディスプレイ等の出力デバイスであり、入力部１３は、キーボード又はマウス等の入力デバイスである。例えば、タッチパネルのように表示部１２及び入力部１３は一体であってもよい。
【００１９】
次に、ＡＰサーバ２０について説明する。ＡＰサーバ２０は、オンライン端末１０からの要求に基づいて、ＤＢサーバ３０に記憶された各種情報を取得して各種処理を実行する計算機である。ＡＰサーバ２０は、処理部２１及び送受信部２２を有する。処理部２１は、演算処理を実行するプロセッサ及びメモリによって構成され、不具合情報取得処理部２３、予防保全テンプレート登録処理部２４、及び予防保全計画作成処理部２５を有する。処理部２１のメモリには、不具合情報取得処理部２３、予防保全テンプレート登録処理部２４、及び予防保全計画作成処理部２５に対応するプログラムが記憶され、処理部２１のプロセッサがこれらのプログラムを実行することによって、不具合情報取得処理部２３、予防保全テンプレート登録処理部２４、及び予防保全計画作成処理部２５は実装される。
【００２０】
不具合情報取得処理部２３は、ＤＢサーバ３０から不具合情報を取得し、取得した不具合情報に基づいて、グループ毎及び属性毎に不具合数を算出する処理を実行する。不具合情報取得処理部２３は図７で詳細を説明する。
【００２１】
予防保全テンプレート登録処理部２４は、オンライン端末１０に入力された予防保全テンプレート３４の登録内容を、予防保全テンプレート３４に登録する処理を実行する。予防保全テンプレート登録処理部２４は図８で詳細を説明する。
【００２２】
予防保全計画作成処理部２５は、オンライン端末１０に入力された予防保全テンプレート３４を作業計画情報３５に登録する要求が入力された場合、予防保全テンプレート３４を作業計画情報３５に登録する処理を実行する。予防保全計画作成処理部２５は図９で詳細を説明する。
【００２３】
送受信部２２は、ネットワーク１５に接続されるインタフェースである。
【００２４】
次に、ＤＢサーバ３０について説明する。ＤＢサーバ３０は各種情報を記憶する計算機である。ＤＢサーバ３０は図示しない処理部及び図示しない記憶装置を有し、図示しない記憶装置には、不具合情報履歴３１、機器マスタ情報３２、分析属性情報３３、予防保全テンプレート３４、及び作業計画情報３５が記憶される。
【００２５】
不具合情報履歴３１には機器で発生した不具合に関する情報が登録される。不具合情報履歴３１は図２で詳細を説明する。機器マスタ情報３２には、機器と、機器が属するグループと、機器の属性情報とが関連付けて登録される。機器の属性情報とは、例えば、機器の製造メーカ、製造日付、品質レベル、及び使用環境等である。機器マスタ情報３２は図３で詳細を説明する。分析属性情報３３には、図７で説明する属性分析処理を実行する属性情報が登録される。分析属性情報３３は図４で詳細を説明する。
【００２６】
予防保全テンプレート３４には、予防保全作業の実施条件がグループ毎に登録される。予防保全テンプレート３４は図５で詳細を説明する。作業計画情報３５には、予防保全作業の実施条件が機器毎に登録される。作業計画情報３５は図６で詳細を説明する。予防保全作業は、作業計画情報３５に基づいて実施される。
【００２７】
送受信部３６は、ネットワーク１５に接続されるインタフェースである。
【００２８】
なお、図１では、ＡＰサーバ２０とＤＢサーバ３０とが別々の計算機であるとしたが、ＡＰサーバ２０とＤＢサーバ３０とは同一の計算機であってもよい。
【００２９】
次に、図２〜図６を用いて、ＤＢサーバ３０に記憶される各種情報３１〜３５の詳細を説明する。
【００３０】
図２は、本発明の実施例の不具合情報履歴３１の説明図である。不具合情報履歴３１は、不具合番号２０１、機器番号２０２、発生日付２０３、及び不具合内容２０４を含む。不具合番号２０１には不具合を識別するための識別情報が登録される。機器番号２０２には不具合が発生した機器を識別するための識別情報が登録される。発生日付２０３には不具合が発生した日付が登録される。不具合内容２０４には、発生した不具合の内容が登録される。
【００３１】
なお、故障が発生した機器が故障情報を図示しない管理サーバに送信し、管理サーバが、受信した故障情報を不具合情報履歴３１に登録してもよいし、管理者が、機器に発生した故障に関する情報を不具合情報履歴３１に登録してもよい。
【００３２】
図３は、本発明の実施例の機器マスタ情報３２の説明図である。機器マスタ情報３２は、機器番号３０１、グループ３０２、メーカ３０３、製造日付３０４、品質レベル３０５、及び使用環境３０６を含む。
【００３３】
機器番号３０１には、機器を識別するための識別情報が登録される。不具合情報履歴３１と機器マスタ情報３２とは、機器番号２０２に登録された機器番号及び機器番号３０１に登録された識別情報によって紐付けられる。グループ３０２には、機器番号３０１に登録された識別情報によって識別される機器が属するグループの識別情報が登録される。
【００３４】
メーカ３０３には、機器番号３０１に登録された識別情報によって識別される機器を製造したメーカの識別情報が登録される。製造日付３０４には、機器番号３０１に登録された識別情報によって識別される機器が製造された年月日が登録される。品質レベル３０５には、機器番号３０１に登録された識別情報によって識別される機器の品質を示すレベルが登録される。使用環境３０６には、機器番号３０１に登録された識別情報によって識別される機器を使用する環境（例えば、使用頻度等）を示す情報が登録される。
【００３５】
メーカ３０３、製造日付３０４、品質レベル３０５、及び使用環境３０６を属性情報という。機器マスタ情報３２は、属性情報として図示しない情報を含んでもよい。
【００３６】
図４は、本発明の実施例の分析属性情報３３の説明図である。分析属性情報３３は、分析属性番号４０１及び属性４０２を含む。分析属性番号４０１には、分析属性情報３３のレコードの識別情報が登録される。属性４０２には、属性分析処理を実行する属性の種別が登録される。
【００３７】
図５は、本発明の実施例の予防保全テンプレート３４の説明図である。予防保全テンプレート３４は、テンプレート番号５０１、グループ５０２、保全周期５０３、及び作業内容５０４を含む。テンプレート番号５０１には、予防保全テンプレート３４のレコードの識別情報が登録される。グループ５０２には、グループの識別情報が登録される。保全周期５０３には、グループ５０２に登録された識別情報によって識別されるグループに属する機器に対して実施される予防保全作業の周期が登録される。作業内容５０４には、グループ５０２に登録された識別情報によって識別されるグループに属する機器に対して実施される予防保全作業の内容が登録される。
【００３８】
図６は、本発明の実施例の作業計画情報３５の説明図である。作業計画情報３５は、作業計画番号６０１、機器番号６０２、保全周期６０３、及び作業内容６０４を含む。
【００３９】
作業計画番号６０１には、作業計画情報３５のレコードの識別情報が登録される。機器番号６０２には、機器の識別情報が登録される。保全周期６０３には、機器番号６０２に登録された識別情報によって識別される機器に対して実施される予防保全作業の周期が登録される。作業内容６０４には、機器番号６０２に登録された識別情報によって識別される機器に対して実施される予防保全作業の内容が登録される。
【００４０】
なお、保全周期５０３及び保全周期６０３の代わりに、次に予防保全作業が実施される日時等の予防保全作業を開始する条件が登録されてもよい。
【００４１】
図７は、本発明の実施例の不具合情報取得処理のシーケンス図である。
【００４２】
まず、管理者は、不具合情報を取得する対象となるグループ（対象グループ）の識別情報をオンライン端末１０に入力する。オンライン端末１０は、対象グループの識別情報の入力を受け付けると、不具合情報取得要求を送受信部１１からＡＰサーバ２０に送信する（７０１）。なお、不具合情報取得要求は対象グループの識別情報を含む。
【００４３】
ＡＰサーバ２０は、ステップ７０１の処理で送信された不具合情報取得要求を受信した場合、機器マスタ情報３２を参照することによって対象グループに属する機器を特定し、不具合情報履歴３１を参照することによって特定した機器の不具合情報を取得する（７０２）。
【００４４】
ステップ７０２の処理を具体的に説明する。
【００４５】
まず、ＡＰサーバ２０の不具合情報取得処理部２３は、機器マスタ情報３２のグループ３０２に登録されたグループの識別情報が、受信した不具合情報取得要求に含まれる対象グループと一致するレコードを取得する。そして、不具合情報取得処理部２３は、取得したレコードの機器番号３０１に登録された機器の識別情報を取得する。次に、不具合情報取得処理部２３は、不具合情報履歴３１の機器番号２０２に登録された機器の識別情報が、種畜した機器の識別情報と一致するレコードを不具合情報として取得する。対象グループの不具合情報の数を合計することによって、対象グループの不具合数が算出できる。
【００４６】
次に、ＡＰサーバ２０は、ＤＢサーバ３０から分析属性情報３３を取得する（７０３）。そして、ＡＰサーバ２０は、ステップ７０３の処理で取得した分析属性情報３３に登録された属性毎に不具合数を算出する属性分析処理を実行し、属性分析処理の実行結果をオンライン端末１０に送信する（７０４）。
【００４７】
ステップ７０４の処理を具体的に説明する。
【００４８】
ＡＰサーバ２０の不具合情報取得処理部２３は、ステップ７０２の処理で取得した不具合情報を参照し、属性が同じである機器で発生した不具合を合計することによって、属性と対応付けて不具合数を算出する。例えば、不具合情報取得処理部２３は、属性が「ＡＡ製作所」である機器の不具合数と、属性が「ＢＢ電気」である機器の不具合数とを算出する。このように、同じ属性の機器で発生した不具合数が属性毎に算出される。
【００４９】
また、不具合情報取得処理部２３は、複数の属性を組み合わせて、当該組合せ毎に不具合数を算出する。例えば、不具合情報取得処理部２３は、属性が「ＡＡ製作所」であって、かつ属性が「２００５年」である機器の不具合を合計することによって、「ＡＡ製作所」及び「２００５年」の組合せと対応付けて不具合数を算出する。なお、ステップ７０３の処理では、複数の属性の全ての組合せについて不具合数を算出する。図４に示す分析属性情報３３には四つの属性が登録されているので、ステップ７０３の処理では、二つの属性の組合せ、三つの属性の組合せ、及び四つの属性の組合せについて不具合数を算出する。
【００５０】
オンライン端末１０は、ステップ７０４の処理で送信された属性分析処理の実行結果を受信した場合、受信した実行結果に基づいて、図８〜図１０に示す不具合表示画面１０００を表示部１２に表示し（７０５）、処理を終了する。
【００５１】
次に、図８〜図１０を用いて不具合表示画面１０００について説明する。
【００５２】
図８は、本発明の実施例の不具合表示画面１０００の説明図である。不具合表示画面１０００は、グループ不具合数表示領域１０１０、属性情報選択領域１０２０、及び属性不具合数表示領域１０３０、属性組合せ不具合数表示領域１０４０を含む。
【００５３】
グループ不具合数表示領域１０１０には、対象グループと、当該対象グループの不具合数とが不具合数の多い順に表示される。なお、図８に示すグループ不具合数表示領域１０１０には一つの対象グループのみの不具合数が表示されているが、複数の対象グループが入力された場合には、複数の対象グループの不具合数が表示されてもよい。属性情報選択領域１０２０には、分析属性情報３３に登録された属性の種別と当該属性の種別に対応するチェックボックスとが表示される。管理者がチェックボックスをチェックすることによって、ある属性の種別が選択されると、選択された属性の種別の不具合数が属性不具合数表示領域１０３０に表示される。
【００５４】
属性不具合数表示領域１０３０には、属性情報選択領域１０２０で選択された属性の種別の不具合数が当該種別の属性と対応付けて、不具合数が多い順に表示される。図８では、属性情報選択領域１０２０のいずれのチェックボックスもチェックされていない不具合表示画面１０００の初期状態では、属性不具合数表示領域１０３０には、分析属性情報３３に登録された全ての属性の種別の不具合数が表示されるものとする。
【００５５】
具体的には、図８に示す属性不具合数表示領域１０３０は、メーカ不具合数表示領域１０３１、日付不具合数表示領域１０３２、品質レベル不具合数表示領域１０３３、及び使用環境不具合数表示領域１０３４を含む。メーカ不具合数表示領域１０３１には、属性の種別が「メーカ」である属性の不具合数が表示される。図８に示すメーカ不具合数表示領域１０３１には、属性の種別「メーカ」の属性が「ＡＡ製作所」である機器で発生した不具合数「４件」、及び属性の種別「メーカ」の属性が「ＢＢ電気」である機器で発生した不具合数「２件」が表示される。
【００５６】
日付不具合数表示領域１０３２には、属性の種別が「日付」である属性の不具合数が表示される。図８に示す日付不具合数表示領域１０３２には、属性の種別「日付」の属性が「２００５年」である機器で発生した不具合数「３件」、属性の種別「日付」の属性が「２０１０年」である機器で発生した不具合数「２件」、属性の種別「日付」の属性が「２０１２年」である機器で発生した不具合数「１件」が表示される。なお、図８に示す日付不具合数表示領域１０３２では、不具合数が年単位で表示されるが、日単位又は時間単位で表示されてもよい。
【００５７】
品質レベル不具合数表示領域１０３３には、属性の種別が「品質レベル」の属性の不具合数が表示される。図８に示す品質レベル不具合数表示領域１０３３には、属性の種別「品質レベル」の属性が「Ｂ」である機器で発生した不具合数「５件」、及び属性の種別「品質レベル」の属性が「Ａ」である機器で発生した不具合数「１件」が表示される。
【００５８】
使用環境不具合数表示領域１０３４には、属性の種別が「使用環境」の属性の不具合数が表示される。図８に示す使用環境不具合数表示領域１０３４には、属性の種別「使用環境」の属性が「Ｈｉｇｈ」である機器で発生した不具合数「４件」、及び属性の種別「使用環境」の属性が「Ｌｏｗ」である機器で発生した不具合数「２件」が表示される。
【００５９】
属性組合せ不具合表示領域１０４０には、図７に示すステップ７０４の処理で複数の属性の組合せ毎に算出した不具合数のうち、不具合数が多い順に所定数の属性の組合せと不具合数とが対応付けて表示される。図８に示す属性組合せ不具合表示領域１０４０には、不具合数が多い順に属性の組合せが五つ表示されている。
【００６０】
管理者は、属性組合せ不具合表示領域１０４０を参照することによって、どの属性の組合せに不具合数が多いかを即座に把握できる。これによって、不具合数の多い属性の組合せの機器の保全周期を変更する気づきを管理者に与えることができる。
【００６１】
図９は、本発明の実施例の属性情報選択領域１０２０で「メーカ」が選択された場合の不具合表示画面１０００の説明図である。
【００６２】
図８に示す初期状態の不具合表示画面１０００において、属性情報選択領域１０２０で「メーカ」が選択された場合、属性不具合数表示領域１０３０にはメーカ不具合数表示領域１０３１が表示される。
【００６３】
なお、属性情報選択領域１０２０で「製造日付」が選択された場合、属性不具合数表示領域１０３０には日付不具合数表示領域１０３２が表示される。属性情報選択領域１０２０で「品質レベル」が選択された場合、属性不具合数表示領域１０３０には品質レベル不具合数表示領域１０３３が表示される。属性情報選択領域１０２０で「使用環境」が選択された場合、属性不具合数表示領域１０３０には使用環境不具合数表示領域１０３４が表示される。
【００６４】
図１０は、本発明の実施例の属性情報選択領域１０２０で「メーカ」及び「製造日付」が選択された場合の不具合表示画面１０００の説明図である。
【００６５】
図９では、属性情報選択領域１０２０で一つの属性の種別が選択された場合の不具合表示画面１０００について説明したが、属性情報選択領域１０２０では複数の属性の種別が選択されてもよく、図１０では、属性情報選択領域１０２０で「メーカ」及び「製造日付」が選択された場合の不具合表示画面１０００について説明する。
【００６６】
属性情報選択領域１０２０で複数の属性の種別が選択された場合、選択された複数の属性の種別の属性の組合せの不具合数を表示するものとする。属性情報選択領域１０２０で「メーカ」及び「製造日付」が選択された場合、図１０に示す属性不具合数表示領域１０３０には、メーカ日付不具合数表示領域１０３５が表示される。メーカ日付不具合数表示領域１０３５には、属性の種別「メーカ」の属性が同じであって、かつ属性の種別「製造日付」の属性が同じである機器で発生した不具合数が、不具合数の多い順に表示される。例えば、メーカ日付不具合数表示領域１０３５には、属性の種別「メーカ」の属性が「ＡＡ製作所」であり、かつ属性の種別「製造日付」の属性が「２０１０年」である機器で発生した不具合数「２件」が表示される。
【００６７】
このように、本実施例では、対象グループ毎に不具合数を表示するため、管理者は、グループ毎の不具合数を把握でき、どのグループの実施条件を修正する必要があるかを把握しやすくなる。例えば、管理者は、不具合数が０であるグループの保全周期を現在の保全周期より長く設定し、不具合数が所定値より大きいグループの保全周期を現在の保全周期より短く設定する。
【００６８】
また、本実施例では、属性が同じ機器で発生した不具合を合計することによって属性毎に不具合数を算出するため、管理者は、属性毎の不具合数を把握でき、どの属性の実施条件を修正する必要があるかを把握しやすくなる。これによって、本実施例は、管理者による最適な予防保全計画の生成の支援し、管理者の予防保全計画を提案するための手間を低減させることができる。
【００６９】
さらに、本実施例では、複数の属性が同じ機器で発生した不具合を合計することによって複数の属性の組合せ毎に不具合数を算出するため、管理者は、複数の属性の組合せ毎の不具合数を把握でき、どの属性の組合せの実施条件を修正する必要があるかを把握しやすくなる。これによって、本実施例は、管理者による最適な予防保全計画の生成の支援し、管理者の予防保全計画を提案するための手間を低減させることができる。
【００７０】
例えば、管理者は、特定の属性又は特定の属性の組合せの不具合数が所定値より大きい場合、当該属性又は当該属性の組合せの機器を当該機器が現在属するグループと別のグループに変更し、現在のグループの保全周期と異なる保全周期を設定する。
【００７１】
図１１は、本発明の実施例の予防保全テンプレート登録処理のシーケンス図である。
【００７２】
管理者は、不具合表示画面１０００を参照して、特定のグループの保全周期を修正すると決定した場合、保全周期を修正するグループの識別情報をオンライン端末１０に入力する。オンライン端末１０は、保全周期を修正するグループの識別情報の入力を受け付けると、当該グループの識別情報を含む予防保全テンプレート取得要求を、送受信部１１を介してＡＰサーバ２０に送信する（８０１）。
【００７３】
ＡＰサーバ２０は、予防保全テンプレート取得要求を受信した場合、ＤＢサーバ３０から予防保全テンプレート３４を取得し、取得した予防保全テンプレート３４のグループ５０２に登録されたグループの識別情報が、受信した予防保全テンプレート取得要求に含まれるグループの識別情報と一致するレコードを取得する（８０２）。そして、ＡＰサーバ２０は、ステップ８０２の処理で取得したレコードを予防保全テンプレート情報としてオンライン端末１０に送信する。
【００７４】
オンライン端末１０は、予防保全テンプレート情報を受信した場合、受信した予防保全テンプレート情報に基づいて、予防保全テンプレート情報表示画面を表示部１２に表示する（８０３）。表示部１２に表示された予防保全テンプレート情報表示画面は、ステップ８０２の処理で取得した予防保全テンプレート３４のレコードの内容を表示し、修正内容の入力を受け付け可能な画面である。
【００７５】
管理者は、表示部１２に表示された予防保全テンプレート情報を参照し、修正内容を入力する。オンライン端末１０は、予防保全テンプレート３４の修正内容の入力を受け付けると、予防保全テンプレート修正要求をＡＰサーバ２０に送信する（８０４）。管理者は、テンプレート番号及び保全周期を修正内容としてオンライン端末１０に入力する。予防保全テンプレート３４の作業内容の修正を所望する場合には、管理者は、作業内容を修正内容としてオンライン端末１０に入力してもよい。
【００７６】
ＡＰサーバ２０は、予防保全テンプレート修正要求を受信した場合、受信した予防保全テンプレート修正要求に含まれる修正内容に基づいて、予防保全テンプレート３４を更新し（８０５）、処理を終了する。
【００７７】
これによって、管理者は、グループ毎に表示された不具合数を見て、予防保全テンプレート３４の修正内容を決定し、予防保全テンプレート３４を修正することができる。
【００７８】
図１２は、本発明の実施例の作業計画情報作成処理のシーケンス図である。
【００７９】
作業計画情報作成処理は、予防保全テンプレート３４の保全周期５０３又は作業内容５０４が修正されたグループに属する機器の作業計画情報３５に、予防保全テンプレート３４の修正内容を反映する処理である。
【００８０】
ステップ８０１〜８０３の処理は、図１１に示す予防保全テンプレート登録処理のステップ８０１〜８０３の処理と同じであるので、説明を省略する。
【００８１】
管理者は、ステップ８０３の処理で表示部１２に表示された予防保全テンプレート表示画面を参照し、予防保全テンプレート３４の修正を作業計画情報３５に反映する修正反映グループの識別情報をオンライン端末１０に入力する。オンライン端末１０は、修正反映グループの識別情報の入力を受け付けると、入力された修正反映グループの識別情報を含む反映要求をＡＰサーバ２０に送信する（９０１）。
【００８２】
ＡＰサーバ２０は、反映要求を受信した場合、機器マスタ情報３２のグループ３０２に登録されたグループの識別情報が、受信した反映要求に含まれる修正反映グループの識別情報と一致するレコードの機器番号３０１に登録された機器の識別情報を取得する。また、ＡＰサーバ２０は、予防保全テンプレート３４のグループ５０２に登録されたグループの識別情報が、受信した反映要求に含まれる修正反映グループの識別情報と一致するレコードの保全周期５０３及び作業内容５０４に登録された情報を取得する。そして、ＡＰサーバ２０は、作業計画情報３５の機器番号６０２に登録された機器の識別情報が取得した機器の識別情報と一致するレコードの保全周期６０３及び作業内容６０４に、取得した保全周期５０３及び作業内容５０４に登録された情報を登録し（９０２）、処理を終了する。
【００８３】
これによって、予防保全テンプレート３４の修正内容を作業計画情報３５に反映することができる。
【００８４】
なお、ＡＰサーバ２０が、図１１に示すステップ８０５の処理の実行後に、ステップ９０２の処理を実行するようにすれば、作業計画情報作成処理の実行は不要である。
【００８５】
図１３は、本発明の実施例のグループ変更処理のシーケンス図である。
【００８６】
管理者は、不具合表示画面１０００の属性不具合数表示領域１０３０を見て、特定の属性の機器を現在のグループと別のグループに変更して、当該別のグループに新たに保全作業の実施条件を設定する場合もある。このような機器のグループを変更する場合に、グループ変更処理が実行される。
【００８７】
まず、管理者は、変更元のグループの識別情報及び別のグループに変更する属性（変更対象属性）をオンライン端末１０に入力する。オンライン端末１０は、変更元のグループの識別情報及び変更対象属性が入力されると、変更元のグループの識別情報及び変更対象属性を含むグループ変更要求をＡＰサーバ２０に送信する（１３０１）。
【００８８】
ＡＰサーバ２０は、グループ変更要求を受信した場合、機器マスタ情報３２のグループ３０２に登録されたグループの識別情報が変更元のグループの識別情報と一致し、かつ、メーカ３０３〜使用環境３０６に登録された属性が変更対象属性と一致するレコードを取得する。また、ＡＰサーバ２０は、機器マスタ情報３２で使用されていないグループの識別情報を生成する。ＡＰサーバ２０が新たに生成したグループの識別情報を変更先グループの識別情報という。そして、ＡＰサーバ２０は、取得したレコードのグループ３０２に登録されたグループの識別情報を、変更先グループの識別情報に変更する（１３０２）。これによって、あるグループの特定の属性の機器を別のグループに変更できる。また、ステップ１３０２の処理で、ＡＰサーバ２０は、予防保全テンプレート３４に新たなレコードを追加し、追加したレコードのテンプレート番号５０１に当該レコードの識別情報を登録し、当該レコードのグループ５０２に変更先グループの識別情報を登録する。
【００８９】
ステップ８０２の処理で、ＡＰサーバ２０は、予防保全テンプレート３４のグループ５０２に登録されたグループの識別情報が、受信したグループ変更要求に含まれる変更元のグループの識別情報、又は変更先グループの識別情報と一致するレコードを取得し、取得したレコードを予防保全テンプレート情報としてオンライン端末１０に送信する。
【００９０】
ステップ８０３の処理で、オンライン端末１０は、受信した予防保全テンプレート情報に基づいて予防保全テンプレート情報表示画面を表示部１２に表示する。ステップ８０４の処理では、管理者は、予防保全テンプレート情報表示画面を参照し、変更後グループの保全周期及び作業内容をオンライン端末１０に入力し、オンライン端末１０は、保全周期及び作業内容の入力を受け付けた場合、変更後のグループの識別情報、並びに入力された保全周期及び作業内容を含む予防保全テンプレート修正要求をＡＰサーバ２０に送信する。
【００９１】
ステップ８０５の処理では、ＡＰサーバ２０は、予防保全テンプレート修正要求を受信した場合、予防保全テンプレート３４のグループ５０２に登録されたグループの識別情報が、受信した予防保全テンプレート修正要求に含まれる変更後グループの識別情報と一致するレコードの保全周期５０３に、受信した予防保全テンプレート修正要求に含まれる保全周期を登録し、当該レコードの作業内容５０４に受信した予防保全テンプレート修正要求に含まれる作業内容を登録し、処理を終了する。
【００９２】
なお、グループ変更処理の実行後、図１２に示す作業計画情報作成処理が実行される。
【００９３】
これによって、管理者は、あるグループに属する機器のうち特定の属性の機器を別のグループに変更することができ、詳細に予防保全テンプレート３４を修正することができる。
【００９４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることも可能であり、また、ある実施例の構成に他の実施例の構成を加えることも可能である。また、各実施例の構成の一部について、他の構成の追加・削除・置換をすることが可能である。
【００９５】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、又は、ＩＣカード、ＳＤカード、ＤＶＤ等の記録媒体に置くことができる。
【符号の説明】
【００９６】
１０    オンライン端末
１５    ネットワーク
２０    ＡＰサーバ
２３    不具合情報取得処理部
２４    予防保全テンプレート登録処理部
２５    予防保全計画作成処理部
３０    ＤＢサーバ
３１    不具合情報履歴
３２    機器マスタ情報
３３    分析属性情報
３４    予防保全テンプレート
３５    作業計画情報
１０００    不具合表示画面
【図１】
2014154124.tif 000003
【図２】
2014154124.tif 000004
【図３】
2014154124.tif 000005
【図４】
2014154124.tif 000006
【図５】
2014154124.tif 000007
【図６】
2014154124.tif 000008
【図７】
2014154124.tif 000009
【図８】
2014154124.tif 000010
【図９】
2014154124.tif 000011
【図１０】
2014154124.tif 000012
【図１１】
2014154124.tif 000013
【図１２】
2014154124.tif 000014
【図１３】
2014154124.tif 000015